Podtech/llm-jp-corpus-v4-ja_patent huggingface dataset:
(57)【要約】【課題】手作業で製作可能であって挟み込み力が強いループ状のホルダー部を有するカードホルダーの提供。【解決手段】カードホルダーは、据え置き台１と、この中央孔に植立し、カード５を挟み込むためのループ状のホルダー部３，４を形成した線状体２とを有する。線状体２は、折り曲げ可能な針金２ａと、この針金２ａに糊つけして螺旋状に重ね巻きした滑り止めテープ２ｂと、この滑り止めテープ２ｂの上にコイル状に密巻きした捲き紐２ｃとから成り、捲き紐２ｃは撚り紐であって、その両端末は接着固定されている。【選択図】      図３
2008178996.tif 000002
【特許請求の範囲】
【請求項１】
折り曲げ可能な金属線に捲き紐を密巻きしてその捲き紐の両端を前記金属線に固定した線状体を用いて成り、この線状体を曲げてカードを挟み込むためのループ状のホルダー部を形成したことを特徴とするカードホルダー。
【請求項２】
請求項１に記載のカードホルダーにおいて、前記線状体は前記金属線に滑り止めテープを捲き付け接着した後、前記捲き紐を密巻きして成ることを特徴とするカードホルダー。
【請求項３】
請求項２に記載のカードホルダーにおいて、前記滑り止めテープは紙製であることを特徴とするカードホルダー。
【請求項４】
請求項１乃至請求項３のいずれか一項に記載のカードホルダーにおいて、前記捲き紐は紙製の撚り紐であることを特徴とするカードホルダー。
【発明の詳細な説明】
【技術分野】
【０００１】
本発明は、針金などから構成したカードホルダーに関する。
【背景技術】
【０００２】
実開昭６３−１９７１８２においては、図４に示す如く、一本の針金（金属線）１０を曲げてカードを挟み込むためのループ状のホルダー部２０を形成したスタンド型のカードホルダーが開示されている。
【特許文献１】実開昭６３−１９７１８２（第１図）
【発明の開示】
【発明が解決しようとする課題】
【０００３】
ループ状のホルダー部２は２巻き以上の密巻きループとする必要があるものの、手作業により針金１の色々な部位にホルダー部を製作する場合には作業性の点から比較的軟質で塑性変形し易い針金１０が用いられる。しかしながら、手作業ゆえ、ホルダー部２０の隣接ループ間に部分的な隙間が生じ易く、風圧などによりカードが外れたり、カードの姿勢が変ったり、隣接ループ間にカードを挟み込む力が弱い。この挟み込み力（弾力性）を確保するため、バネ性の強い硬質の針金を芯体の周りに巻き付けてホルダー部を構成しても良いが、その癖付け作業には相当な力を要するので手作業では行い難い。
【０００４】
そこで上記問題点に鑑み、本発明の課題は、手作業で製作可能であって挟み込み力が強いループ状のホルダー部を有するカードホルダーを提供することにある。
【課題を解決するための手段】
【０００５】
本発明に係るカードホルダーは、折り曲げ可能な金属線に滑り止めテープを捲き付け接着した後、この滑り止めテープの上に捲き紐を密巻きしてその捲き紐の両端を金属線に固定した線状体を用いて成り、この線状体を曲げてカードを挟み込むためのループ状のホルダー部を形成したものである。
【０００６】
ホルダー部の隣接ループ同士においては、一方のループに巻き付けられた捲き紐の巻回部と他方のループに巻き付けられた捲き紐の巻回部とが食い違状態で噛み合っているので、挟み込み力が強いループ状のホルダー部を得ることができる。
【０００７】
滑り止めテープとして紙テープを用い、捲き紐としては紙製の撚り紐を用いるのが望ましい。線状体を曲げた場合、撚り紐の表面粗さや食い込みなどによって撚り紐の各巻回部が金属線の線方向には滑り難くなるので、ループ状のホルダー部での撚り紐の巻回部の偏在を抑制できる。
【０００８】
なお、撚り紐としては水引を用いることができる。
【発明の効果】
【０００９】
本発明においては、手作業で製作可能であって挟み込み力が強いループ状のホルダー部を有するカードホルダーを提供できる。
【発明を実施するための最良の形態】
【００１０】
次に、本発明の実施形態を添付図面に基づいて説明する。図１は本発明の一実施例に係るカードホルダーを示す斜視図、図２は同カードホルダーのホルダー部にカードを挟んだ状態を示す斜視図、図３（Ａ）は同カードホルダーに用いる線状体の構造を示す拡大図、図３（Ｂ）はホルダー部の一部を示す拡大図である。
【００１１】
本例のスタンド型カードホルダーは、据え置き台１と、この据え置き台１の中央孔（図示せず）に植立し、カード５を挟み込むため２巻き以上のループ状のホルダー部３，４を形成した線状体２とを有する。
【００１２】
この線状体２は、図３（Ａ）に示す如く、折り曲げ可能な針金２ａと、この針金２ａに糊つけして螺旋状に重ね巻きした金紙などの滑り止めテープ２ｂと、この滑り止めテープ２ｂの上にコイル状に密巻きした水引などの捲き紐２ｃとから成る。捲き紐２ｃは水引きなどの撚り紐であって、その両端末は接着固定されている。
【００１３】
図３（Ｂ）に示す如く、ホルダー部３，４の隣接ループＡ，Ｂ同士においては、隣接ループＡに巻き付けられた捲き紐２ｃの巻回部ａと隣接ループＢに巻き付けられた捲き紐２ｃの巻回部ｂとが食い違状態で噛み合っているので、挟み込み力が強いループ状のホルダー部３，４を得ることができる。
【００１４】
ここで捲き紐２ｃとしては紙製の撚り紐であり、巻回部ａ，ｂの表面が粗くなっているので、カード５の保持力が高い。
【００１５】
撚り紐２ｃを捲き付ける前に滑り止めテープ２ｂが貼着されているため、線状体を曲げた場合、その撚り紐２ｃの表面粗さや食い込みなどによって撚り紐２ｃの各巻回部ａ，ｂが針金２ａの線方向には滑り難くなるので、ループ状のホルダー部３，４での巻回部ａ，ｂの偏在を抑制できる。
【００１６】
なお、上記のスタンド型カードホルダーの据え置き台１にマグネットを内蔵することにより、冷蔵庫などのドア板上に起立保持できる。また、カードホルダーとしては線状体２のみを用いることもできる。
【図面の簡単な説明】
【００１７】
【図１】本発明の一実施例に係るカードホルダーを示す斜視図である。
【図２】同カードホルダーのホルダー部にカードを挟んだ状態を示す斜視図である。
【図３】（Ａ）は同カードホルダーに用いる線状体の構造を示す拡大図、（Ｂ）はホルダー部の一部を示す拡大図である。
【図４】従来のカードホルダーを示す概略図である。
【符号の説明】
【００１８】
１…据え置き台
２…線状体
２ａ，１０…針金
２ｂ…滑り止めテープ
２ｃ…捲き紐
３，４，２０…ホルダー部
５…カード
Ａ，Ｂ…隣接ループ
ａ，ｂ…巻回部
【図１】
2008178996.tif 000003
【図２】
2008178996.tif 000004
【図３】
2008178996.tif 000005
【図４】
2008178996.tif 000006
(57)【要約】【課題】  アームに取り付けられたハンドを直線的に動作させることが容易で、大型の搬送物を精度良く運ぶことが可能なダブルアーム型ロボットを提供すること。【解決手段】  上下軸（Ｚ軸）を有するとともに、搬送物を載せる２個のハンドを有するダブルアーム型多軸搬送ロボットにおいて、この２個のハンドを駆動するアームは、それぞれ上下に配設した２個の直交ロボットであることを特徴とするダブルアーム型多軸搬送ロボットとした。【選択図】        図１
2008178924.tif 000002
【特許請求の範囲】
【請求項１】
上下軸（Ｚ軸）を有するとともに、搬送物を載せる２個のハンドを有するダブルアーム型多軸搬送ロボットにおいて、
前記２個のハンドを駆動するアームは、それぞれ上下に配設された２個の直交ロボットであることを特徴とするダブルアーム型多軸搬送ロボット。
【請求項２】
前記上下に配設された２個のアームは、それぞれ同時に対称的に駆動されることを特徴とする請求項１記載のダブルアーム型多軸搬送ロボット。
【請求項３】
前記上下に配設された２個のアームは、それぞれ独立的に駆動されることを特徴とする請求項１記載のダブルアーム型多軸搬送ロボット。
【発明の詳細な説明】
【技術分野】
【０００１】
本発明は、産業用ロボットに係り、より一層詳細には、ダブルアーム型の多軸で駆動され、ワークを搬送するロボットに関する。
【背景技術】
【０００２】
従来、アームが二つあり、多軸の制御軸を有し、ワークを効率よく搬送するために使用される、いわゆるダブルアーム型の多軸で駆動される搬送ロボット(以下ダブルアーム型多軸搬送ロボットという)については、例えば、特開２００６‐１９８７６８号公報に示されるような、アームを上下に配設した水平多関節ロボットが周知である。
【特許文献１】特開２００６‐１９８７６８号公報
【発明の開示】
【発明が解決しようとする課題】
【０００３】
しかしながら、この種のダブルアーム型多軸の搬送ロボットにおいては、アームに取り付けられたハンドを直線的に動作させることは、操作的に難しかった。
従って、大型の搬送物を精度良く運ぶことが困難であった。
【０００４】
本発明の目的は、アームに取り付けられたハンドを直線的に動作させることを容易にし、大型の搬送物を精度良く運ぶことの可能な、ダブルアーム型多軸搬送ロボットを提供することにある。
【課題を解決するための手段】
【０００５】
前述の目的を達成するため、本発明は、上下軸（Ｚ軸）を有するとともに、搬送物を載せる２個のハンドを有するダブルアーム型多軸搬送ロボットにおいて、前記２個のハンドを駆動するアームは、それぞれ上下に配設された２個の直交ロボットであることを特徴とするダブルアーム型多軸搬送ロボットとした。
【０００６】
また上下に配設された２個のアームは、それぞれ同時に対称的に駆動することを特徴とする請求項１記載のダブルアーム型多軸搬送ロボットとした。
【０００７】
さらにまた上下に配設した２個のアームは、それぞれ独立的に駆動することを特徴とする請求項１記載のダブルアーム型多軸搬送ロボットとした。
【発明の効果】
【０００８】
この発明によるロボットでは、ハンドは、直交ロボットにより直線的に動作させることが容易で、大型の搬送物も容易に、しかも正確に運ぶことが可能となった。
【発明を実施するための最良の形態】
【０００９】
次に本発明の１実施形態を、図１ないし図３により説明する。
符号１は、ダブルアーム型多軸の搬送ロボットで、上下（Ｚ軸）、Ｘ、Ｙ方向およびＷ方向に回転自在となっている。符号２は、Ｚ軸で、アーム３および４を設けたブラケット５がＺ軸を上下移動可能に取り付けられている。アーム３および４は、それぞれ直交ロボットから成り、そのスライダ６および７には、ハンド８、９が取り付けられ、直線的にＹ軸方向に移動する。
【００１０】
スライダ６および７、即ちハンド８、９は、それぞれアーム３および４上を同時に対称的に移動することができ、従って、同時に上下に積んだ鎖線で示す搬送物１０、１１を運ぶことができる。
また上下のアーム３および４をそれぞれ別々に独立して移動させることもできるようにしてある。
【００１１】
このようにアームを直交ロボットとしたため、従来の水平多関節ロボットに比べ、直進性の動作精度は高くなり、大型の搬送物を精度良く運ぶことが可能となった。
【００１２】
この発明のロボットアームに取り付けられたハンドは、上述のように構成されているので、容易に直線的に動作させることができ、大型の搬送物を精度良く運ぶことが可能となった。
【図面の簡単な説明】
【００１３】
【図１】この発明の用される一実施形態を示すダブルアーム型多軸の搬送ロボットの概要説明図であって、その側面図ある。
【図２】この発明が適用される一実施形態を示すダブルアーム型多軸の搬送ロボットの概要説明図であって、図１のＵ矢視図である。
【図３】この発明が適用される一実施形態を示すダブルアーム型多軸の搬送ロボットの概要説明図であって、図１のＶ矢視図である。
【符号の説明】
【００１４】
１  ダブルアーム型多軸搬送ロボット
２  Ｚ軸
３、４  アーム
５  ブラケット
６、７  スライダ
８、９  ハンド
１０、１１  搬送物
【図１】
2008178924.tif 000003
【図２】
2008178924.tif 000004
【図３】
2008178924.tif 000005
(57)【要約】      （修正有）【課題】鳥インフルエンザの空気伝染を予防することを目的とした、経済的な空気清浄装置を提供する。  部屋を区切り、相互の空気の流通をなくし、少数の鳥の病気を多数の鳥に伝染させない。【解決手段】フィルタ４付の吸入口１から取り入れた空気を長いダクト６を通過させ、その間に紫外線で殺菌し、小さく区切られた各鳥小屋１３に入れる。  各鳥小屋１３の空気は別のダクト８で隔離室１４に集められ消毒した後、下向きの排気口１２から排出される。  隔離室１４は餌や人間や鳥、卵、糞、等の出入りの際に、菌を持ち込まないような消毒室を兼ねる。【選択図】図１
2008178374.tif 000002
【特許請求の範囲】
【請求項１】
下向きの吸気口を持つ吸気管に塵埃を除くフィルタを取り付け、吸気管の出口をフアンと紫外線ランプを取り付けたダクト６に接続し、ダクト６の出口をダクト７に接続し、ダクト７は各鳥小屋にそれぞれ排気口を有すること。
ダクト８は各鳥小屋にそれぞれ吸気口があり、ダクト８の出口は隔離室に接続していること。
隔離室は消毒の設備があり、前後にドアがあり、下向きの排気口をもつ排気管があることを特徴とした鳥インフルエンザを予防する鳥小屋。
【請求項２】
ダクトに多数の紫外線ランプを取り付けた装置においてダクトの内部の全面を鏡で覆った消毒用ダクト。
【発明の詳細な説明】
【技術分野】
【０００１】  本発明は、鳥インフルエンザを予防するための空気調整システムを持つ鳥小屋に関する。
【背景技術】
【０００２】  従来、鳥インフルエンザの対策としては、感染後の焼却処分や隔離、消毒が行われている。
また、人間や餌、塵埃、糞、等によって直接空気を通さないで伝染する経路の遮断は、既知の技術であり熱や消毒液による予防は本発明の分野ではない。
室内の空気に対策を施し、病気を予防することを目的とした考案としては、フィルタとマイクロ波によって空気を洗浄する装置、が下記にある。
【特許文献１】特許願２００５−１６１４０７
【発明の開示】
【発明が解決しようとする課題】
【０００３】  本発明の課題は、鳥小屋に入る空気を消毒し、消毒していない空気を鳥小屋に入れないようにし、人の出入りや餌や糞の処理、鳥や卵の出し入れによって、各種の菌を鳥小屋に入れないようにして病気を予防するものである。
上記課題を経済的に解決するために、殺菌用の紫外線ランプを効率良く使用し空気の流通を効率良く行い、空気の逆流やドアの開閉による外気の直接進入を防ぐ鳥小屋を提供することが課題である。
【課題を解決するための手段】
【０００４】  本発明では上記の課題を解決するために、塵埃の少ない上空の空気を取り入れ、フィルタ付のファンで長いダクトに空気を送る。
周囲を鏡で覆った長いダクトの中心に殺菌用の紫外線ランプを取り付け、殺菌した空気を鳥小屋に送る。
鳥小屋の中を小さく仕切り（小さく仕切られたそれぞれの鳥小屋を一括して本文では各鳥小屋と記す）鳥小屋の一部の病気が空気を通して拡散しないようにし、各鳥小屋毎に人間や物の出入りのための戸を設ける。
空気の排出口には下向きのダクトを設け、排出口から風によって空気が鳥小屋に逆流しないようにする。【０００５】  台風等の強風によって排出口から空気が入りやすくなった時は、排出口にフィルタを設けたり、フアンの出力を増したりする。
小さく仕切られた各鳥小屋の中に同じだけの空気が送り込まれるように、空気口の大きさや空気の抵抗を調整し、場合によっては空気の流通を検出して監視する。
人や物の出入りによって、直接外部の空気が入らないように出入り口を２重にした隔離室をもうけ充分殺菌した空気を各鳥小屋の中に入れる。
【発明の効果】
【０００６】  本発明によれば、鳥小屋の空気を常に殺菌状態に保つ効果がある。
また、一部の鳥が感染しても空気を通して鳥小屋全体に広がることを防ぐ効果がある。
空気がダクトの中を一方向に進むようにしたため、殺菌した空気と殺菌しない空気が混合せず、すべての空気が同じ量の紫外線を受け、さらに殺菌効果を高めるために鏡が全面に設置されているので紫外線の効率が良く、少ない電力消費で完全な殺菌効果がある。【０００７】  排出口と鳥小屋の間に隔離室を設け、強風によって排気口から外部の空気が鳥小屋に逆流しない効果がある。
隔離室は人や物の出入りにあたって前の戸から入り、戸を閉めてから殺菌し後の戸から鳥小屋に入るようにすることにより、外気を直接鳥小屋の中に入れない効果がある。
【発明を実施するための最良の形態】
【０００８】  以下本発明の実施例を図１に基づいて説明する。
下向きに取り付けられた吸気口１、を持つ吸気管３から吸い込まれた空気はフィルタ４、を通してフアン５でダクト６に送り込まれる。
ダクト６の中には鏡が全体にあり、紫外線ランプ９の光を反射して、効率よく殺菌ができる。
殺菌された空気はダクト７を通って排気口１０から各鳥小屋１３に送り込まれる。
小さく仕切られた各鳥小屋の下にはダクト８があり、ダクト８に開けられた吸気口２から各鳥小屋１３の空気を隔離室１４へ送り込む。【０００９】  隔離室１４は消毒を完全に行う設備を持つ前後のドアに仕切られた部屋であり、ここに送られた空気は排気口１１から排出される。
排気管１５には下向きの排気口１２があり、台風等の強風時に外気が排気口から各小鳥屋１３に逆流しないよう、また雨、ごみ、等が入らないように下向きに取り付けられる．【００１０】  このように外気に含まれる細菌は各鳥小屋１３に入らないようになっているので、あとは餌や人間が直接小屋に細菌を持ち込まないように注意すれば鳥小屋全体の衛生管理は充分であり、万一病気になっても鳥小屋全体に広がることはない。
さらに、隔離室１３を常に消毒しておけば、鳥小屋の病気が外部に拡散することは少ない。
【図面の簡単な説明】
【００１１】
【図１】は本発明の実施例を示す、殺菌装置を取り付けた鳥小屋の断面図である。
【符号の説明】
１、２            吸気口
４                フィルタ
５                ファン
６，７，８        ダクト
９                紫外線ランプ
１０、１１，１２  排気口
１４              各小屋
１５              隔離室
【図１】
2008178374.tif 000003
(57)【要約】【課題】  生クリームを泡立てる時、内容器に生クリームや砂糖等の材料を入れて蓋をして、外容器に蓄冷材と共に入れ、振ることによってホイップクリームができ、内容器の蓋を飾り絞り口に替えて絞る事で、ポイップクリームのデコレーションができ、飾り絞り口を他の種類に替えるだけで、同じ内容器で何種類かのデコレーションができる生クリーム泡立て絞り器を提供する。【解決手段】  天井部と下部は開口していて円錐状で、底蓋部で閉じられるようになっている外容器に、外容器の内側面を一周する蓄冷材を入れ、生クリームや砂糖等の材料を入れて蓋で閉じた内容器を入れ、外容器を外容器の底蓋部で閉じ、振ることでホイップクリームができ、内容器の蓋を飾り絞り口に替えることで、絞り器に入れ替えることなくデコレーションができ、飾り絞り口を他の種類に替えるだけで、同じ内容器で何種類ものデコレーションできることを特徴とする。【選択図】図１
2008178376.tif 000002
【特許請求の範囲】
【請求項１】
天井部と下部は開口していて円錐状で、底蓋部で閉じられるようになっている外容器に、外容器の内側面を一周する蓄冷材を入れ、生クリームや砂糖等の材料を入れて蓋で閉じた内容器を入れ、外容器を外容器の底蓋部で閉じ、振ることでホイップクリームができ、内容器の蓋を飾り絞り口に替えることで、絞り器に入れ替えることなくデコレーションができ、飾り絞り口を他の種類に替えるだけで、同じ内容器で何種類ものデコレーションできる生クリーム泡立て絞り容器。
【発明の詳細な説明】
【技術分野】
【０００１】  本発明は、生クリームを泡立てる時に、内容器に生クリームや砂糖等の材料を入れて蓋をして、外容器に蓄冷材と共に入れ、振る事によってホイップクリームができ、内容器の蓋を飾り絞り口に替えて絞る事で、ホイップクリームのデコレーションができ、飾り絞り口を他の種類に替えるだけで、同じ内容器で何種類かのデコレーションができるように工夫した生クリーム泡立て絞り器に関するものである。
【背景技術】
【０００２】  従来、ケーキ等に生クリームでデコレーションする時、ボールに材料を入れ泡立て器でかき混ぜ、できたホイップクリームを絞り器に移し替えて、デコレーションをしていた。
【発明の開示】
【発明が解決しようとする課題】
【０００３】  そのために、次のような問題点があった。
従来の泡立て方は、氷水を入れたボールを用意し、その上で別のボールに材料を入れ泡立て器でかき混ぜるのだが、時間がかかり準備する道具も多いため、後片付けも大変である。次にできたホイップクリームを絞り器に移し替えるのだが、この時、手や袋等にベタベタついて汚れてしまう。色々な飾り絞り口に替える時は、別の絞り袋が必要である。
本発明は、以上の問題を解決するためになされたものである。
【課題を解決するための手段】
【０００４】  天井部と下部は開口していて円錐状で、底蓋部で閉じられるようになっている外容器に、外容器の内側面を一周する蓄冷材を入れ、生クリームや砂糖等の材料を入れて蓋で閉じた内容器を入れ、外容器を外容器の底蓋部で閉じ、振ることでホイップクリームができ、内容器の蓋を飾り絞り口に替えることで、絞り器に入れ替えることなくデコレーションができ、飾り絞り口を他の種類に替えるだけで、同じ内容器で何種類ものデコレーションができる。以上を特徴とした生クリーム泡立て絞り器である。
【発明の効果】
【０００５】  本発明は、生クリームを泡立てる時に使用するボール、氷水、泡立て器、絞り器等が必要ないので、後片付けが楽であり、振る時間も５分位でホイップクリームが完成する。さらに、ホイップクリームを絞り器に移し替える手間がないので、ベタベタ汚れることがなく、飾り絞り口を取り替えるだけで、同じ袋で色々なデコレーションができる。
【発明を実施するための最良の形態】
【０００６】  以下、本発明の実施形態を説明する。
（イ）ナス形状の内容器（１）の上部に内容器ねじ込み溝（２）を設け、蓋（３）の内側      に蓋ねじ込み溝（４）を設け生クリームや砂糖等の材料を閉じられるようにする。
（ロ）蓄冷材（５）を薄い一枚の扇形状にする。
（ハ）内容器（１）を覆う外容器（６）の側面下部に外容器ねじ込み溝（７）を設け、天      井部（８）と底部（９）は開口する。
（ニ）外容器底蓋部（１０）の内側に、外容器底蓋部ねじ込み溝（１１）を設ける。
（ホ）飾り絞り口（１２ａ）（１２ｂ）の内側下部に飾り絞り口ねじ込み溝（１３）を設      ける。
本発明は以上の構成によりなっている。
本発明を使用する時は、外容器（６）に、冷凍庫で冷やした一枚の蓄冷材（５）をクルクルまるめてメガホン状に形作って入れ、次に生クリームや砂糖等の材料を入れ、蓋（３）で閉じた内容器（１）を入れ、外容器（６）に外容器底蓋部（１０）をねじ込むことで内容器（１）は固定する。内容器（１）と蓄冷材（５）を入れた外容器（６）を５分程振るだけで、ホイップクリームができる。さらに、図４に示すように、内容器（１）を取り出し、蓋（３）を飾り絞り口（１２ａ）に替えることで、そのままデコレーションでき、さらに飾り絞り口（１２ａ）をはずし他種類の飾り絞り口（１２ｂ）に取り替えるだけで同じ袋で何種類ものデコレーションができる。
【図面の簡単な説明】
【０００７】
【図１】  本発明の内容器と飾り絞り口の分解斜視図である。
【図２】  本発明の外容器と蓄冷材の分解斜視図である。
【図３】  本発明の使用時の斜視図である。
【図４】  本発明のデコレーション時の使用説明図である。
【符号の説明】
【０００８】      １  内容器                            ２  内容器ねじ込み溝
３  蓋                                ４  蓋ねじ込み溝
５  蓄冷材                            ６  外容器
７  外容器ねじ込み溝                  ８  天井部
９  底部                              １０  外容器底蓋部
１１  外容器底蓋部ねじ込み溝          １２；１２ａ；１２ｂ  飾り絞り口
１３  飾り絞り口ねじ込み溝
【図１】
2008178376.tif 000003
【図２】
2008178376.tif 000004
【図３】
2008178376.tif 000005
【図４】
2008178376.tif 000006
(57)【要約】【課題】  多肉植物（ＣＡＭ植物）を生または加工食製品の原料として酸味などの成分、食感、食味のある食用のための栽培技術ならびに成分保持技術を得る。【解決手段】  ＣＡＭ植物が保有する酸味等の成分、食感、食味を食用として利用するよう、本発明の生食栽培方法および成分保持方法においては、ＣＡＭ植物特有の光合成方法での二酸化炭素の吸収、保持し、栽培時および収穫後に二酸化炭素を施用することで酸味などの成分を保持することができる。【選択図】図２
2008178372.tif 000002
【特許請求の範囲】
【請求項１】
多肉植物（ＣＡＭ植物）を光合成が盛んに行われるまでに収穫することによって、ＣＡＭ植物の光合成方法により夜間に蓄えられたリンゴ酸等の有機酸を光合成によって二酸化炭素に変わる前に葉を収穫し、植物体内にリンゴ酸等の有機酸を保持し、酸味等の成分を保持した状態の多肉植物（ＣＡＭ植物）の葉の食用栽培技術ならびにその技術によって得た製品。
【請求項２】
多肉植物（ＣＡＭ植物）の葉を酸味を保持した状態で収穫した後、光合成ができない様、光を避けて保存および輸送することによって、酸味を保持した多肉植物（ＣＡＭ植物）の葉の食用成分保持技術ならびにその技術によって得た製品。
【請求項３】
ＣＡＭ植物の光合成方法によって植物体内に取り込まれる二酸化炭素を多くすることにより食用としての特長である酸味を向上させるために栽培時ならびに収穫後に二酸化炭素施用を行う多肉植物（ＣＡＭ植物）の食用栽培技術ならびにその技術によって得た製品。
【発明の詳細な説明】
【技術分野】
【０００１】  本発明は、多肉植物（ＣＡＭ植物）を生食あるいは加工食製品の原材料として使用する場合、葉など植物体内の成分を保持するための手段、栽培方法および製品に関する。
【背景技術】
【０００２】  従来の多肉植物（ＣＡＭ植物）は、多くが観葉植物として利用されているのみであり、植物体を生で食する習慣がなく、生食として研究されていなかった。【０００３】  アロエやサボテンなど一部の多肉植物は、表皮を剥いて葉肉のみを食用とする習慣があり栽培が行われているが、植物中の成分保持に関する技術は確立されていない。【０００４】  多肉植物（ＣＡＭ植物）であるベンケイソウ科の石蓮花（学名：エケベリア  グラウカ：Ｅｃｈｅｖａｒｉａ  Ｇｌａｕｃａ）は、サプリメントやお茶などの加工食製品として利用しているが、生食としての品質・成分を考慮した栽培および収穫後の安定した品質・味が確立されていない。
【発明の開示】
【発明が解決しようとする課題】
【０００５】  以上述べた従来の多肉植物（ＣＡＭ植物）の食用としての栽培技術および成分保持方法では、生食用としての品質や成分の保持ができていなかったため、多肉植物（ＣＡＭ植物）本来の成分を保持させ、生食用および加工食製品の原材料として、成分、食感、食味を利用するための方法でありかつ製品とすることを目的とするものである。
【課題を解決するための手段】
【０００６】  上記目的を達成するために、ＣＡＭ植物が保有する酸味等の成分、食感、食味を食用として利用するよう、本発明の生食栽培方法および成分保持方法においては、ＣＡＭ植物特有の光合成方法での二酸化炭素の吸収、維持し、栽培時および収穫後に二酸化炭素を施用することで酸味などの成分を保持することができる。
【発明の効果】
【０００７】  上述したように本発明の多肉植物（ＣＡＭ植物）の葉が光合成を行う前に収穫することにより、酸味等を保持した状態が維持でき、また、収穫後、光合成ができない様、光を避け、低温下で保存することによって、酸味を保持した多肉植物（ＣＡＭ植物）の葉を維持することができる。【０００８】  ＣＡＭ植物特有の光合成方法によって植物体内に取り込まれる二酸化炭素を多くすることにより食用としての特長である酸味を向上させるために、栽培時ならびに収穫後に二酸化炭素を施用することによって、より酸味がある多肉植物（ＣＡＭ植物）の葉を得ることができる。
【発明を実施するための最良の形態】
【０００９】  以下、本発明の実施の形態を図１〜図２に基づいて説明する。【００１０】  図１において、通常の植物の光合成方法は、二酸化炭素は昼の日射がある時に植物体内の葉緑体で液胞等他の部位に関係なくデンプンを形成し夜そのデンプンは他の器官へ転流される。【００１１】  図２において、ＣＡＭ植物の光合成方法は、二酸化炭素は夜（日の当たらない時間帯）に植物体内の液胞でリンゴ酸等の有機酸として蓄えられ、昼の日射がある時に蓄えられたリンゴ酸など有機酸から二酸化炭素などに再度変換され、光合成によりデンプンは形成し夜他の器官へ流転される。【００１２】  また、ＣＡＭ植物の光合成方法によって植物体内に取り込まれた二酸化炭素が消費する前に収穫することでＣＡＭ植物体内のリンゴ酸などの有機酸の量を維持し、酸味などの成分、食感、食味などが保持できる。【００１３】  また、ＣＡＭ植物の光合成方法によって植物体内に取り込まれる二酸化炭素をより多くするために、栽培時の夜間ならびに収穫後の暗黒貯蔵下に二酸化炭素を施用することで、ＣＡＭ植物体内のリンゴ酸などの有機酸の量を維持し、酸味などの成分、食感、食味などが保持できる。
【図面の簡単な説明】
【００１４】
【図１】通常の植物の光合成方法図
【図２】ＣＡＭ植物の光合成方法図
【符号の説明】
【００１５】    １  通常の植物の光合成方法
２  ＣＡＭ植物の光合成方法
３  リンゴ酸
４  二酸化炭素
【図１】
2008178372.tif 000003
【図２】
2008178372.tif 000004
(57)【要約】【課題】農作業で平地に植付及び収穫するらっきょう等は平地での手先作業のため、低くしゃがむかビールビンケース等に腰掛けて作業している。しゃがんで作業及び移動の繰返しにより足首、膝及び腰が痛くなる。ビールビンケース等に腰掛けての作業は平地からの高さにより背中を丸めて作業となり背中を痛める。又ケースの接地圧により平地を荒らすので均しながらの作業となる。【解決手段】キャタピラ台車として腰の位置を低くし背中を丸めての作業をなくする。前後移動時は少し腰を持上げ足で地面を蹴っての移動となる。腰持上げ時空気圧封入シリンダ４ａ〜４ｄの上昇力が働くため足、膝及び腰に掛かる体重負担が少なくなる。地面に掛かる体重負担は腰掛フレーム８、下部フレーム７、キャリヤロール２ａ〜ｆ及びキャタピラベルト１より伝達となる。ベルト面積が広いため体重による接地圧は低く平地を荒らすことはない。【選択図】図１
2008178375.tif 000002
【特許請求の範囲】
【請求項１】
キャタピラ式台車に空気圧封入シリンダ及びシザーリンクを組込んだ農作業用低床型腰掛台車。
【発明の詳細な説明】
【技術分野】
【０００１】本発明は農作業で平地に植付及び収穫するらっきょう等のしゃがんでやる作業は足首、膝及び腰を痛める。ビールビンケース等に腰掛けてやる場合は平地からの高さがあるため、背中を丸めて作業するので背中を痛めやすい。無理な姿勢での作業及び移動をなくし、平地を荒らさない農作業用低床型腰掛台車に関するものである。
【背景技術】
【０００２】農作業で平地に植付及び収穫するらっきょう等は低い姿勢での作業のため、しゃがむかビールビンケース等に腰掛けてやっているため、足首、膝及び腰、又は背中を痛めるきつい作業となっている。【０００３】
【特許文献１】  特開２００１−１２８７９１号公報、特開２００３−１２５６０７号公報
【発明の開示】
【発明が解決しようとする課題】
【０００４】農作業で平地に植付及び収穫するらっきょう等は平地での手先作業のため、低くしゃがむかビールビンケース等に腰掛けて作業している。しゃがんでの作業及び移動の繰返しにより足首、膝及び腰が痛くなる。ビールビンケース等に腰掛けての作業は平地からの高さにより背中を丸めての作業となり背中を痛め、又ケースの接地圧により平地を荒らすので均しながらの作業となる。
【課題を解決するための手段】
【０００５】キャタピラ台車として腰の高さを低くし背中を丸めての作業をなくする。前後移動時は少し腰を持上げ足で地面を蹴っての移動となる。腰持上げ時空気圧封入シリンダ４ａ〜ｄの上昇力が働くため、足、膝及び腰に掛かる体重負担が少なくなる。地面に掛かる体重負担は腰掛フレーム８、下部フレーム７、キャリヤローラ２ａ〜ｆ及びキャタピラベルト１より伝達となる。ベルト面積が広いため体重による接地圧は低く平地を荒らすことはない。
【発明の効果】
【０００６】作業時の腰掛フレーム８の高さを低くするためキャタピラ式台車とし、平地に対する体重はキャリヤローラ２ａ〜ｆから面積の広いキャタピラベルト１より伝達のため接地圧は低くなる。前後移動時の腰持上げに空気圧封入シリンダ４ａ〜ｄ力が働くため足、膝及び腰への体重負担が少なくなる。
以下、本発明の実施形態について説明する。
（イ）．キャタピラ式台車により腰掛フレーム８高さを低くし、腰持上げ時の体重負担は空気圧封入シリンダ４ａ〜ｄ及びシザーリンク５ａ〜ｄにより受ける構造とする。
【実施例１】
【０００７】図１は農作業用低床型腰掛台車を使用しての作業時の状態及び前後移動時の状態を示す。図２は農作業用低床型腰掛台車の正面図、断面ＡＡ平面図、断面ＢＢ側面図及び昇降固定ストッパ取付状態を示す。【０００８】図１において、作業時の状態は農作業用低床型腰掛台車の腰掛フレーム８高さが最低Ｈ１の時の作業姿勢を示す。腰掛フレーム８と下部フレームは干渉しており体重はキャリヤローラ２ａ〜ｆからキャタピラベルト１より平地面に伝達される。前後移動時の状態は足で地面を蹴って移動のため腰を持上げて腰掛フレーム８が最高Ｈ２での移動状態を示す。腰掛フレーム８に取付けの安全帯で太ももと固定されているので、足で地面を蹴っての移動が簡単である。【０００９】図２において、正面図は腰掛フレーム８の最低と最高を示し、キャリヤローラ２ａ〜２ｆ及びテークアップローラ３ａ，ｂとキャタピラベルト１の配置を示す。腰掛フレーム８は４本の空気圧封入シリンダ４ａ〜ｄで持上げられ、４本のシザーリンク５ａ〜ｄで保持されている。【００１０】図２において、断面ＡＡは平面図を示す。空気圧封入シリンダ４ａ〜ｄ及びシザーリンク５ａ〜ｄの配置、シザーリンク５ａ〜ｄ取付けのシャフト６ａ〜ｄの配置を示す。【００１１】図２において、断面ＢＢは側面図を示す。腰掛フレーム８の最低高さ時下部フレームと干渉していることを示す。キャリヤローラ２ａ〜ｆの下部フレーム７への取付け及びシザーリンク取付シャフト６ｃ、ｄの配置を示す。【００１２】図２において、ストッパ取付状態は空気圧封入シリンダ４ａ〜ｄによる昇降機能をロックする時、必要高さに応じたストッパ９ａ、ｂの取付状態を示す。ストッパは腰掛フレーム８にボルトによる取付けの構造とする。
【図面の簡単な説明】
【００１３】
【図１】本発明実施例の農作業用低床型腰掛台車を使用しての作業時の状態及び前後移動時の状態図である。
【図２】本発明実施例の正面図、断面ＡＡ平面図、断面ＢＢ側面図及び昇降固定ストッパ取付状態図である。
【符号の説明】
【００１４】１          キャタピラベルト
２ａ〜２ｆ  キャリヤローラ
３ａ、３ｂ  テークアップローラ
４ａ〜４ｄ  空気圧封入シリンダ
５ａ〜５ｄ  シザーリンク
６ａ〜６ｄ  シャフト
７          下部フレーム
８          腰掛フレーム
９ａ、９ｂ  ストッパ
【図１】
2008178375.tif 000003
【図２】
2008178375.tif 000004
(57)【要約】      （修正有）【課題】ナイロンコード式草刈払い機のローターの回転に重みが加わると回転力が落ち、草の多いところでは作業が困難になる。回転力が落ちずに、また回転力の復元が早いロータ構造を提供する。【解決手段】草を切断するローター１の回転力を落とさないために外周部に８個の鉄玉２を取付けてローター１の回転に重みを加えることによってナイロンコード４の切断力を向上させる。【選択図】図１
2008178379.tif 000002
【特許請求の範囲】
【請求項１】
エンジン付草刈払い機ナイロンコード式で草刈払いを行なうローター（回転盤）最も切断力に威力を発揮する技術にとんだローター
【発明の詳細な説明】
【技術分野】
【０００１】ローターの回転に重みを加える事によってナイロンコードの草の切断力アップに成功した。
【背景技術】
【０００２】従来のローターでは回転に重みが加はると回転力が落ち草の多い所では作業が困難だった。
【発明の開示】
【０００３】回転コードに重みを付ける事を必用と考えた。
【発明が解決しようとする課題】
【０００４】草の重みに負けないローターの回転力アップ
【課題を解決するための手段】
【０００５】草を切断する最良の形態としてローターの回転力を落さないために外周部に８個の鉄玉厚さ６ｍｍ直径１６ｍｍを取り付けた。図（１）
【発明の効果】
【０００６】外周部に取付けた鉄玉は動輪作用を高め切断力をアップさせた。
【発明を実施するための最良の形態】
【０００７】鉄玉を挟み込んだ円盤厚さ１．５ｍｍ直径１０ｃｍは鉄製で地面に接触する面は水平でどんな地形でもハンドルに遠心力の影響が受けぬくい、又ナイロンコードは円盤内部切込み部４ヶ所の内２ヶ所から差し込み鉄玉を挟み込んで取り出すのでこの部分でのコードの疲労は最も少ない。
【実施例】
【０００８】円盤の直径が１０ｃｍ厚さ（鉄玉を挟みこんだ状態）は９ｍｍとしたため重荷がかかった時でも回転盤の復元が最も早い又ナイロンコード巻溜部と円盤本体の間は１０ｃｍである巻溜コードの長さも３ｍ２本と最も長く巻溜出来る。巻溜具は草の絡み付き防止の役目もはたす、ステンレス製で厚さ０．６ｍｍである、コードの巻溜はローターを横にした状態で簡単に出来る。
【産業上の利用可態性】
【０００９】機態が最も理想的と考えられるため最終的には多く仕用されると考えられる。
【図面の簡単な説明】
【００１０】
【図１】ローター正面図
【図２】ローター横から図
【図３】草刈機本体え取り付図
【符号の説明】
【００１１】１  ロータ本体正面図２  １６ｍｍ鉄玉３  鉄玉心棒溶接部４  ナイロンコード５  草刈機え取付ホルダー穴６  ナイロンコード巻溜具７  ナイロンコード巻溜部８  ローター本体内部９  ロータ本体外部１０  空間１１  ナイロンコード差込み削り部１２  草刈機本体支持ロット
【図１】
2008178379.tif 000003
【図２】
2008178379.tif 000004
【図３】
2008178379.tif 000005
【手続補正書】
【提出日】平成19年3月27日(2007.3.27)
【手続補正１】
【補正対象書類名】明細書
【補正対象項目名】０００８
【補正方法】変更
【補正の内容】
【０００８】円盤の直径が１０ｃｍ厚さ（鉄玉を挟みこんだ状態）は９ｍｍとしたため重荷がかかった時でも回転盤の復元が最も早い又ナイロンコード巻溜部と円盤本体の間は１０ｍｍである巻溜コードの長さも３ｍ２本と最も長く巻溜できる。巻溜具は草の絡み付き防止の役目もはたす、ステンレス製で厚さ０．６ｍｍである、コードの巻溜はローターを横にした状態で簡単に出来る。
(57)【要約】【課題】夜間の経血の生理ナプキン外への漏れを防ぐ夜間用生理ナプキンを提供する。【解決手段】経血を吸収するための高分子吸収体を内包した平たい形状の生理ナプキンにおいて、吸収体中央にその長手方向に対して縦長に同素材により馬蹄形の薄壁（２）を、該馬蹄形の円弧側と対向する側の両端へ向かうにつれ、その壁の高さが低くなるように、生理ナプキン（１）に対して垂直に設けたことを特徴とする生理ナプキン。【選択図】図１
2008178640.tif 000002
【特許請求の範囲】
【請求項１】
経血を吸収するための高分子吸収体を内包した平たい形状の生理ナプキンにおいて、吸収体中央にその長手方向に対して縦長に同素材により馬蹄形の薄壁を、該馬蹄形の円弧側と対向する側の両端へ向かうにつれその壁の高さが低くなるように、生理ナプキンに対して垂直に設けたことを特徴とする生理ナプキン。
【請求項２】
前記薄壁は、内部に変形防止用の芯を入れていることを特徴とする請求項１記載の生理ナプキン。
【発明の詳細な説明】
【技術分野】
【０００１】夜間の長時間の使用にも、生理ナプキンからの経血の漏れがない、夜間用生理ナプキンに関する。
【背景技術】
【０００２】従来の夜間用生理ナプキンは、生理ナプキンからの経血の漏れを防ぐために大きな面積を有した平坦な、もしくは中央が陰部に密着するように山形に盛り上がった形状である。
【発明の開示】
【発明が解決しようとする課題】
【０００３】従来の形状では臀部の窪みに伝わって経血が流れ、生理ナプキンの外にまで経血が漏れ出して衣類まで汚すことがあった。
本発明は夜間の経血の生理ナプキンからの漏れを防ぐことを可能にした夜間用生理ナプキンを提供することを課題とする。
【課題を解決するための手段】
【０００４】請求項１の発明は、経血を吸収するための高分子吸収体を内包した平たい形状の生理ナプキンにおいて、吸収体中央にその長手方向に対して縦長に同素材により馬蹄形の薄壁を、該馬蹄形の円弧側と対向する側の両端へ向かうにつれその壁の高さが低くなるように、生理ナプキンに対して垂直に設けたことを特徴とする生理ナプキンである。【０００５】請求項２の発明は、請求項１の生理ナプキン上の馬蹄形の薄壁について、内部に変形防止用の芯を入れていることを特徴とする生理用ナプキンである。
【発明の効果】
【０００６】臀部の構造上、夜間の生理ナプキンからの経血の漏れは主に後漏れであったが、馬蹄形の薄壁の円弧側が体の後方方向であり、なおかつ狭義で言う会陰部の窪みに自然と密着するため、経血の流れを臀部の窪みに到達する前に食い止めることができ、経血を馬蹄形の薄壁の円弧内にとどめておくことができるため、生理ナプキンから漏れ出すことがない。【０００７】また会陰部と土台の生理ナプキンと薄壁の間にできる隙間には、かなりの量の経血をとどめておくことができるため、経血が生理ナプキンに吸収されるまでの間、経血を前記隙間にとどめおくことが可能であり、生理ナプキンの吸収力に間に合わずにとどまる場所のない経血が流れ出すこともない。【０００８】このように経血を効率よく集めることができるので、こまめに生理ナプキンを取りかえることができない夜間の長時間の使用においても、経血の生理ナプキンからの漏れを防ぐことができる。さらに漏れが防げるために、生理ナプキンの大きさを最小限に抑えることができるので、生理ナプキンによる蒸れや違和感をおさえることができる。また山形に盛り上がった形状の生理ナプキンのように、神経が集中する陰部を直接刺激することがないので快適な使用感である。
【発明を実施するための最良の形態】
【０００９】本発明の１実施形態を図１に示す。
経血を吸収するための高分子吸収体を内包した平たい形状の生理ナプキン１の上部中央に、その長手方向に対して縦長に同素材により馬蹄形の薄壁２を、馬蹄形の円弧側４と対向する側の両端へ向かうにつれその壁の高さが低くなるように、生理ナプキン１に対して垂直に設置する。薄壁の両端部は装着時の膣口を覆うまでは高さを保ち、そこから両端に向かうにつれなだらかに低くしていき最終的には高さをなくす。（請求項１）【００１０】薄壁２の円弧部が狭義で言う会陰部の窪みに自然と密着することで経血の流れを止めるが、夜間の体動などによる薄壁２の形状の崩れは、会陰部と薄壁２の間の密着度を保てず、経血の流出の原因となるので、使用中の型くずれを防ぎ、会陰と密着した状態を長時間維持することを可能とするために、薄壁２の内部全体に変形防止用の芯５を入れる。（請求項２）【００１１】使用方法は、馬蹄形の薄壁２の開口部３が体の前方に来る向きで、馬蹄形の薄壁２の円弧部が狭義でいう会陰部に位置し、薄壁２の両端部が大陰唇を外側から覆うように下着に装着する。
【図面の簡単な説明】
【００１２】
【図１】本発明の一実施形態を示す斜視図
【図２】本発明の同上長手方向中央横断面図
【符号の説明】
【００１３】      １    生理ナプキン
２    薄壁
３    薄壁の開口部
４    薄壁の円弧側
５    芯
【図１】
2008178640.tif 000003
【図２】
2008178640.tif 000004
(57)【要約】【課題】携帯用の排尿収納袋で、身体に密着しにくいこと。排尿中及び排尿後の収納袋の重量を不安定な姿勢で尿をこぼさないように持たなければならないこと。【解決手段】尿の収納袋の受け口に発砲ポリエチレンシート等を使用することや、袋の受け口の大きさを大幅に広げること、袋の深さを従来製品の数倍に拡大することで解決する。【選択図】図１
2008178639.tif 000002
【特許請求の範囲】
【請求項１】
身体との接触受け口に、ポリエチレンやポリスチレンの発砲シートを使用することを特徴とする、携帯用の排尿収納袋。
【請求項２】
身体との接触受け口の外周を４０ｃｍから５０ｃｍの広口にすることを特徴とする、携帯用の排尿収納袋。
【請求項３】
袋の深さを車の椅子の高さを超え、車の床に接地するように設計した、携帯用の排尿収納袋。
【発明の詳細な説明】
【技術分野】
【０００１】本発明は、主として自動車内で使用される、携帯用の排尿収納袋に関するものである。限られた室内で、着座のまま不安定な姿勢での放尿行為を、スムースに且つ安心して達成するために、尿収納袋の受け口の素材と寸法、及び尿収納袋の深さ（寸法）に工夫を加えたものである。
【背景技術】
【０００２】従来から自動車の運転で長距離走行や渋滞に遭遇したり、サービスエリアが遠い場合、尿意を催したときに、携帯用の排尿収納袋が利用されている。収納袋の構造はポリエチレンやビニールの袋に吸水ポリマーがセットされており、尿はポリマーによりゼリー状に固化し、廃棄を容易にしている。
【発明の開示】
【発明が解決しようとする課題】
【０００３】尿の収納袋は身体の排尿道部との密着性が問題で、特に女子が使用する場合の簡便な方法の開発が望まれている。【０００４】１回の排尿の量は普通、２００ｃｃから５００ｃｃである。片手で持てば形態が袋である為、ぶよぶよと定まらず、重く感じる。従って狭い車内で袋を支持することは、一層不安定な行為となる。従来の市販製品は袋の深さが１５ｃｍから２０ｃｍで、袋の重みは支える手にずっしりかかって、袋をしっかり持たなければ、尿がこぼれる心配があった。
【課題を解決するための手段】
【０００５】この課題を解決するための請求項１の発明は、袋の口に発砲ポリエチレンや発砲ポリスチレンのシートを接着して利用する。この素材は荷造り用の緩衝材等に用いられており、しなやかな弾力を持つ上に、適度の硬度を備えている。シートの厚みは１ｍｍから２ｍｍ程度あることが望ましい。このシートは尿の収納袋の受け口の大きさに合わせて筒状に加工し、袋の受け口の内側に熱溶着等で接着する。シートが適度のしなやかさを持つ為、袋は身体局部に良く密着する。【０００６】請求項２の発明は袋の受け口の口径を従来の販売製品に比べ、大幅に広げることを特徴とする。従来品の袋の受け口の外周が３０ｃｍ以下であるのに比べ、本発明では４０ｃｍから４５ｃｍに広げた。これにより排尿の際に、的外れの心配がなくなり、女子の身体局部にも密着させることができるようになった。【０００７】請求項３の発明は、排尿収納袋を従来製品の数倍の深さにしたことを特徴とする。従来の製品では、尿収納袋の深さは２０ｃｍ以下であるが、本発明は６０ｃｍから７０ｃｍの深さにする。長尺の袋にした理由は、排尿が自動車内の座席に座って行こなわれることを想定したもので、排尿の重みを手で支える不安定さをとり除く為である。そのためには、袋が車の椅子の高さを越える長さ、つまり床に接地する長さがあればよい。尿は袋内を落下してゆき、床が尿の重みを受けとめるので、手に重みはかからない。手は尿収納袋の受け口を身体局部に密着させることに専念でき、尿をこぼす等の不安感から開放される。
【発明の効果】
【０００８】本発明により、携帯用の排尿収納袋と身体との密着度が増し、着座のままの排尿でも的外れの心配もなくなる。また収納した尿の重量を支え持つ、不安定感も取り除くことができる。
【発明を実施するための最良の状態】
【０００９】図１は袋の斜視図である。袋の受け口の内側に発砲ポリエチレン等のシートを筒状にして接着し、収納袋と一体となっている。図１−２の袋のフィルムの厚みは１０〜２０ミクロンが望ましい。
【００１０】図２は袋の受け口の柔軟さ、しなやかさを示している。袋の受け口は身体の局部に当てがえば密着する。
【産業上の利用可能性】
【００１１】本発明による携帯用の排尿収納袋は、構造が簡単であり、素材も特殊なものではなく、低コストで工業的に量産でき、産業上の利用性が高い。
【図面の簡単な説明】
【００１２】
【図１】排尿収納袋の斜視図である。
【図２】排尿収納袋の受け口の斜視図である。受け口の柔軟性を示した。
【符号の説明】
【００１３】１．排尿収納袋の発砲ポリエチレンや発砲ポリスチレンシートの受け口。
２．排尿収納のための袋。
【図１】
2008178639.tif 000003
【図２】
2008178639.tif 000004
(57)【要約】【課題】容器の中の水に水中浮遊体を提供する。【解決手段】水中浮遊体を薄い板状の表面に人類、魚類、動物、植物、玩具等の図柄を印刷し、その形態に切り抜き上部に道糸を着接し其の上部に浮具を設け、下部に重りを着接し、容器に水を注ぎ其の中に沈める事により観賞し楽しめる事を特徴とする水中浮遊体である。【選択図】図１
2008178641.tif 000002
【特許請求の範囲】
【請求項１】
水中浮遊体（１）の上部に道糸（５）を着接し、その上部に浮具（２）着接し下部にオモリ（３）を着接したことを特徴とする水中浮遊体。
【請求項２】
容器（４）に水（６）を注ぎ水中浮遊体（１）を挿入し蓋（７）を閉じてことを特徴とする請求項１の水中浮遊体。
【発明の詳細な説明】
【技術分野】
【０００１】本発明は容器に水を注ぎ中に水中浮遊体を侵入させた事に関する物である。
【背景技術】
【０００２】従来、水に浮かべたり、水中に沈めて観賞する物はあった。
【発明の開示】
【発明が解決しょうとする課題】
【０００３】（イ）入り口の小さな蓋付き容器を利用して中に観賞の物体を入れるのには大きさに限界あった。
（ロ）水を満水にした容器に観賞用物体を入れても完全に浮くか沈むかで容器の中間に保つ事が出来なかった。
本発明は、これらの問題点を解決するためになされたものである。
【課題を解決するための手段】
【０００４】水中浮遊体を薄い板状に人類・魚類・動物・玩具等の印刷を施し、上部になる部分の中央部に道糸を着接し其の上部に浮具を設け下部に重り設け下になる部分から丸めて挿入する事を特徴とする水中浮遊体である。
【発明の効果】
【０００５】水を入れた容器に水中浮遊体を入れると容器の中央に浮き、まるで生きているような感覚で楽しめる。又、水がレンズの役を果たし浮遊体が立体的に観賞できる。
【発明を実施するための最良の形態】
【０００６】以下、本発明の実施の形態について説明する。
（イ）水中浮遊体（１）上部になる所に道糸（５）を着接しその道糸の上部に浮具（２）着接する。
（ロ）水中浮遊体（１）の下部になる所に重り（３）を着接する
（ハ）容器（４）水（６）を入れ水中浮遊体（１）を挿入し蓋（７）を閉じる。
本発明は以上のような構成で、これらを空き容器（４）に水（６）を注ぎ水中浮遊体（１）の下部から入れて使用する。
また図１に示すように入口（８）が細い容器（４）を使用する時は蓋（７）を外し水（６）を注ぎ水中浮遊体（１）が入口（８）より大きいときは下部から丸めて挿入し蓋（７）閉める事により容器（４）を横にして使用しても楽しめる水中浮遊体である。
【図面の簡単な説明】
【０００７】
【図１】  本発明の側面図
【図２】  本発明の側面図
【図３】  本発明の斜視図
【図４】  本発明の側面図
【符号の説明】
【０００８】  １  水中浮遊体
２  浮具
３  重り
４  容器
５  道糸
６  水
７  蓋
８  入口
【図１】
2008178641.tif 000003
【図２】
2008178641.tif 000004
【図３】
2008178641.tif 000005
【図４】
2008178641.tif 000006